(57)【要約】【課題】  花々の支持部分と花器台とが着脱自在に構成され、支持部分が逆円錐状であって花量を自由に選択でき、且つ花々を挿し易く固定器具を不用とする軽量、美観な花器の提供。【解決手段】  花器部Ａとそれに着脱自在に固着する花保持部Ｂから構成され、花々を生けない不使用時に花保持部を畳んで置き、使用時に筒状掛具を適度に押し下げて留金に係止して花保持骨子の開き状態を調整できる花器。【選択図】  図１
2006087868.tif 000002
【特許請求の範囲】
【請求項１】
花器部Ａと該花器部に着脱自在に固着する花保持部Ｂから構成される花器であって、（ｉ）該花保持部Ｂは、上方に吊部と下方に着脱自在な固着部とが形成され且つ吊柄内部に押込み可能な複数個の留金を備えた吊柄、該吊柄外周に貫挿させて上下に移動する筒状掛具と、該筒状掛具と花保持骨子とに搖動自在に係合した複数の支え金と、該花保持骨子上に張られ下方に複数個の水通孔を有する花保持布部とで構成され、且つ
（ｉｉ）花器部Ａは、上方に開口した水受と、該水受と一体に形成された花器台とから構成されることを特徴とする花器。
【請求項２】
上記花器部Ａと花保持部Ｂとが着脱自在に固着する機構が、該吊柄の下端に雄ネジが刻まれた吊柄の軸受と、該吊柄の軸受を着脱自在に固着する花器台内に設けた雌ネジが刻まれた挿入穴とから構成され、該雄ネジを該雌ネジにネジ込んで固着することを特徴とする請求項１記載の花器。
【発明の詳細な説明】
【技術分野】
【０００１】  本発明は、花々の花保持部と花器部とが着脱自在に構成され、しかも該花保持部が逆円錐状（放射状）を呈し、段階的に広がりを持たせて花量を自由に選択でき、花保持部Ｂの掛具に係止する支え金によって花々を挿し易く固定器具を不用とする軽量、美観な変形型花器に関する。
【背景技術】
【０００２】  従来の花瓶等の花器は、その材質や形状のため設置場所が限定され、また、花器に生ける花の量は、花器の口の大きさに左右され、広口の花器に少量の花を生ける場合等では、花を固定する器具等が必要であった。更に、水換えをする際には花を生け直さなくてはならず、不便であった。【０００３】  そのような花器の問題点を改良するために、種々の技術が知られているが、未だ不十分なものであった。
例えば、花の結束保持のために、花瓶に入れて輪ゴム等の結束具を用いなくても花束が崩れない、花を挿す長切込みを中心に向け形成した弾力性多孔質樹脂製柱状の花瓶用花結束補助具（特許文献１）やリング外周にクランプを一体に設けた花保持具（特許文献２）やプラスチック積層布製の載頭円錐状花束形成具（特許文献３）等が、また、購入した花束を花瓶等に移し変えずに簡単な操作で花を飾れる花器として、間隔を置いて引き離し可能な切れ目又はミシン目を設け、上下端が開放した六角断面の長手プラスチック製筒とそのプラスチック製受具（特許文献４）等が、更に、花々を挿すための口広の開口を持ち注水孔を設けた逆円錐状のプラスチック製花瓶用保持具（特許文献５）や花々を保持するために、花保持用縦状切り割りを設けた含水スポンジ付きプラスチック製筒状保水ポットとそのスタンド（特許文献６）や主に一本花を挿すための茎チューブと下部で切り離し可能な長手四角形状の花瓶用厚紙製筒保持具（特許文献７）等が知られている。【０００４】
【特許文献１】実用新案登録第３０６１８９１号公報
【特許文献２】実開平５−６０２５２号公報
【特許文献３】特開２０００−３２５１９６号公報
【特許文献４】実開平７−２２８９号公報
【特許文献５】実開平２−１０５７６４号公報
【特許文献６】特開平７−１０００４５号公報
【特許文献７】特開昭６３−１９１７３９号公報
【発明の開示】
【発明が解決しようとする課題及び解決手段】
【０００５】  そこで、本発明者は、上記従来法の課題について鋭意検討を重ねた結果、（イ）吊柄１の上部にある吊部１１がカギ状又は半輪状であって且つ下部が花器部Ａに着脱自在に固着した逆円錐状（放射状）の広がりを持つ花保持部Ｂとすることにより、水平面のみならず垂直や上方から吊す等自由に花器の使用形態を選択できる。
（ロ）また、花保持部Ｂの吊柄１の下方の適切な位置に設けた留金２の位置を変えて、更に２’等にすることによって、花保持部Ｂが逆円錐状（放射状）の中広又は大広等と段階的に広がりを持つので、花器に納める花量も自在に変えられ、あらゆる花量に対処できる。
（ハ）花保持部Ｂの吊柄１に筒状掛具３を介して遙動自在に係合する支え金４と花保持骨子５と花保持布部１３により、花を支持・固定するので、特別に花を納める固定器具等を必要としない。
（ニ）花器部Ａが花保持部Ｂから取り外し可能であるため、水換えの際に生け直す必要がなく便利である。
こと等を見い出し、本発明を完成するに至った。
【０００６】  即ち、本発明は；
（１）  花器部Ａと該花器部に着脱自在に固着する花保持部Ｂから構成される花器であって、（ｉ）該花保持部Ｂは、上方に吊部と下方に着脱自在な固着部とが形成され且つ吊柄内部に押込み可能な複数個の留金を備えた吊柄、該吊柄外周に貫挿させて上下に移動する筒状掛具と、該筒状掛具と傘状骨子とに搖動自在に係合した複数の支え金と、該花保持骨子上に張られ下方に複数個の水通孔を有する花保持布部とで構成され、且つ
（ｉｉ）花器部Ａは、上方に開口した水受と、該水受と一体に形成された花器台とから構成される花器を提供する。また、
（２）  上記花器部Ａと花保持部Ｂとが着脱自在に固着する機構が、該吊柄の下端に雄ネジが刻まれた吊柄の軸受と、該吊柄の軸受を着脱自在に固着する花器台内に設けた雌ネジが刻まれた挿入穴とから構成され、該雄ネジを該雌ネジにネジ込んで固着する点に特徴を有する。
【０００７】  本発明は、下記の実施の態様をも包含する。
（ｉ）上記花器部Ａと花保持部Ｂとが着脱自在に固着する機構が、該吊柄の下端に設けた磁石と該吊柄の磁石を着脱自在に固着する花器台内に設けた磁石とから構成される点に特徴を有する。また、
（ｉｉ）花保持部Ｂを構成する長手の吊柄の柄部分の一部が、それ以下の柄部分から取外し自在とされ、該取外部分とそれ以下の柄部分とに互いに相対する凹凸を設け篏合させる点に特徴を有する。また、
（ｉｉｉ）花保持布部の材質がビニール、防水紙、防水布又はレースであり、その布地が透明、半透明、無地、花柄、チェック模様等の単色、多数色である点に特徴を有する。また、
（ｉｖ）花保持部Ｂを構成する吊部がカギ状又は半輪状である点に特徴を有する。また、
（ｖ）花器部Ａに花保持部Ｂが着脱自在に固着した花器を、花々を生けない不使用時に花保持部Ｂを畳んで置き、使用時に上記吊柄を貫通する筒状掛具を適度に押し下げていずれかの留金に係止して花保持骨子の開き状態を段階的に調整でき、及び花器に水の注入又は入れ換え時には花保持部Ｂを花器部Ａから外し、その後に現状に戻す、変形型花器の使用方法にも特徴を有する。
【作用】
【０００８】  （ｉ）挿す花量が変化可能；図１に示されるように、吊柄１の留金２の位置を留金２’に変えることによって花保持部Ｂが段階的に中広又は大広と広がりを持つことができ、挿す花量を変化させて大きく生けたり、小さく生けたりでき、置場所を選ばず一つの花器で代用できる。
（ｉｉ）材質が多種多様で色彩も豊富；花器を構成する花保持布部１３（図３参照）が、今までにない材質、例えばビニール、防水紙、防水布、レース等で加工しているため、透明、半透明、無地、花柄、チェック模様等の単色、多数色等を使用でき、花器のバリエーションが広がる。
（ｉｉｉ）花器として軽量で丈夫；材質がビニール、紙、布等であるので、従来の陶器製に比して軽くて壊れ難く、持ち運びに便利である。
（ｉｖ）従来の花器より低価格；従来の花器は陶器やガラス等で作られたものが多く高価である。これに対して、本発明の花器は材質がビニール、紙、布等で低廉なので、従来より低価格である。
【０００９】  （ｖ）剣山やオアシス等が不用；図１に示されるように、放射状の花保持骨子５が花を支え・固定するため、従来必要とされた剣山やオアシスが無くとも所定の所に花を生けられる。特に、オアシスは使用後に捨てるのに始末が大変であったが、本発明の花器では不使用なのでエコロジーにも貢献できる。
（ｖｉ）水交換が至便；花の水は毎日変える方が、花が長持ちするが一苦労である。その場合、生けてある花を一度花器から出して水を変え花を花器に戻すものである。その時、花の形が崩れて直す必要が生じる。
これに対して、本発明の花器は、図２−（イ）に示されるように、水受７内の挿入穴１０から吊柄１の先端部の軸受８を外すことにより、又は図２−（ロ）に示されるように、吊柄１の先端部の磁石１５を水受７内の底部の磁石１５’から外すことにより、花に触ることなく水交換が容易にできる。
【００１０】  （ｖｉｉ）使用形態の多様性；小さい出窓に置く、天井から吊るす、又はホテル等のロビーのエントランスに飾る等、サイズを大小に自由に変えることにより、場所を選ばない。或いは吊るして飾ったり、置いて飾ったりもできる。
（ｖｉｉｉ）花器収納の容易性；花器の収納は場所を取ることが一番の難問である。
本発明の花器の花保持骨子５とそれに張られた花保持布１３は、図１、３に示されるように、筒状掛具３を介して吊柄１の側部に設けられた押し込め可能な留金２、２’により上下に段階的に調整・変化するのて簡単に拡大、縮小でき、また、吊部１１により吊せる特徴をも持つので収納に至便である。
（ｉｘ）花器サイズの多様性；花器を作る時に、同じ形でもミニから特大まで加工でき、使用範囲が拡大される。例えば、小さい出窓から、ホテル等のロビーのエントランスまでの使用が可能となる。
【００１１】  （ｘ）販売時の手間がかからない；花業者が販売しようとする際に花を入れない器だけでも販売できる。
花を生けてお店に吊るしたり、置いたりして、ディスプレイとして販売でき、ラッピング（包装）も不用であるため手間とコストが削減できる。
（ｘｉ）消費者による購入と即飾り付け；花屋から本発明の花器に生けた花を買うと、吊柄１の吊部１１が把手になり持ち易く、しかも、花器に水が入っているため、そのまま置くだけで様になる。例えば、病院等の見舞いとして最高に便利である。
（ｘｉｉ）花器の外観のユニーク性；見た目が今までになくユニークで可愛さがあり、例えば８ｃｍ位のミニサイズだと贈物の品としても可能である。
（ｘｉｉｉ）一般人でも楽しめる；図１、３に示されるように、吊柄１に設けた花保持骨子５とそれに張られた花保持布１３が花々を支え・固定し、思い通りの所に花を納めてくれるので、生け花やアレンジの勉強をしない人でも挿すだけで殆ど形が決まる。
【発明の効果】
【００１２】  従来の花器に余りない材質、例えばプラスチック、防水紙、防水布等で作ることができ、色彩も柄も多種多様な選択が可能となり、また、丈夫で軽量、低廉である。
花保持部Ｂが上下に開閉可能であって、段階的に中広又は大広等と入れる花量を選択できる特徴がある上、逆円錐状（放射状）の花保持骨子５が花を支持・固定するためにオアシス（硬めのスポンジ）等が不用となり、後始末が簡単でエコロジーにもなる。
吊柄１の下方に留金２、２’等が設けられているため、嵩張らない筒状から花量を多く収納できる末広状等と収納に至便である。
また、花をラッピングすることが不用となるので、消費者は購入して直ぐに室内等に飾れる。
花器の大きさもミニサイズから特大まで任意に加工でき、いかなる需要にも応えられる。
花器部Ａが花保持部Ｂから取り外し可能であるため、水換えの際に生け直す必要がなく便利である。
【発明を実施するための最良の形態】
【００１３】  以下、本発明を図面に基づいて詳細に説明する。
図１は本発明の変形型花器の模式図である。
図２は花器台と吊柄軸受との篏合状態を示す部分拡大図であり、（イ）は雄ネジを刻んだ吊柄軸受８と花器台９内の雌ネジ１２を刻んだ挿入穴１０との篏合状態を示し、（ロ）は吊柄１の先端に設けた磁石１５と花器台９内に設けた磁石１５’との篏合状態を示す。
図３は、本発明の洋風変形型花器の模式図であり、（イ）は花保持部Ｂを中開きした状態を示し、（ロ）は花保持部Ｂを大開きした状態を示す。
図４は本発明の和風変形型花器の模式図であり、（イ）は花保持部Ｂを中開きした状態を示し、（ロ）は花保持部Ｂを大開きした状態を示す。
図５は本発明の洋風変形型花器に花を挿した状態図であり、（イ）は花保持部Ｂを中開きした状態を示し、（ロ）は花保持部Ｂを大開きした状態を示す。【００１４】図１〜５において、１は吊柄、２、２’は留金、３は筒状掛具、４は支え金、５は花保持骨子、６は水通孔、７は水受、８は（雄ネジ付き）吊柄の軸受、９は花器台、１０（雌ネジ付き）挿入穴、１１は吊部、１２は雌ネジ、１３は花保持布部、１４は飾り、１５、１５’は磁石、１６は雄ネジ、１７は花々、Ａは花器部、Ｂは花保持部である。
図１〜５において、本発明は、基本的に、花器部Ａと該花器部Ａに着脱自在に固着する花保持部Ｂから構成される変形型花器である。【００１５】  （ｉ）花保持部Ｂは、図１に示されるように、上方に吊部１１と下方に着脱自在な固着部（この内容は以下に詳述）とが形成され且つ吊柄１１内部に押込み可能な複数個、好ましくは２、開き具合を更に細かく調整したい場合には３又は４〜６、それ以上の留金を備えた吊柄１とする。
この場合に、該吊柄１の外周に貫挿させて上下に移動する筒状掛具３を設け、複数の支え金４が該筒状掛具３に搖動自在に係合し、該複数の支え金４に相対して搖動自在に係合した花保持骨子５が配され、図３、４に示されるように、該花保持骨子５上に花保持布部１３が張られており、挿された花々を支える役目をする。
花保持部Ｂを構成する吊部１１は、天井等上方に吊り下げる便利なようにカギ状（図１、４）又は半輪状（図３、５）とする必要がある。【００１６】  花保持布部１３は円状布であって、図３、４に示されるように、花保持骨子５上に張られて花保持部Ｂを構成すると、筒状掛具３を介して留金２、２’等により中広又は大広等に段階的にその広がりを調整できる。
また、花保持布部１３の材質は、特に制限されないが、今までにない材質、例えばビニール（プラスチックシート）、防水紙、防水布、レース等を採用でき、且つその外観も透明、半透明、無地、花柄、チェック模様等の単色、多数色等の装飾性にも富み、特にビニール（プラスチックシート）では丈夫且つ低廉であって透明又は半透明とでき、花器のバリエーションがより広がる。
吊柄１、支え金４、花保持骨子５の材質は硬質で簡単には折れたり破損しなければその材質は問わないが、通常、吊柄１は、硬質プラスチック製が比較的低廉で好ましいが、軽量のアルミ製が耐久性の点で望ましい。【００１７】  支え金４、花保持骨子５は硬質プラスチック製棒体でも可能であるが、一番強力を要する箇所であるので、スチール製等の金属製棒が望ましい。
吊柄１の外周に貫挿させて上下に移動する筒状掛具３は、吊柄１と対をなすから、吊柄１と同じ材質のもので良いが、この筒状掛具３は支え金４、花保持骨子５、花保持布部１３を支えかなりの荷重がかかるので、特に丈夫な材質、例えば（強力）アルミ合金のような金属製の採用が良い。
花保持部Ｂを構成する長手の吊柄１の柄部分の一部が、それ以下の柄部分から取外し自在とされ、該取外部分とそれ以下の柄部分とに互いに相対する凹凸を設け篏合させても良い。
このようにすることで、長手の吊柄１を短くして使用することができ、本発明の変形型花器の利用領域を広げる。【００１８】  （ｉｉ）花保持布部１３の下方に複数個の水通孔６が設けられ、花器部Ａの花器台９内の水受７に吊柄１の端部（吊柄の軸受８）が着脱自在に挿し込まれると、水受７に水を張り花々を生ける花器を構成する。
花保持布部１３の下方に設けた水通孔６の数は、花保持部Ｂの花保持布部１３内に挿した花々に十分に水が浸る程度の孔数、例えば４〜１０、好ましくは５〜８を必要とし、その孔径は程々の径、例えば３〜１０ｍｍ、好ましくは５〜８ｍｍであり、孔数と径とは反比例して設定されることになる。【００１９】  （ｉｉｉ）花器部Ａは、花保持部Ｂを受ける上方に開口した水受７と、該水受７と一体に形成された花器台９とから構成され、花器部Ａに花保持部Ｂが着脱自在に固着して本発明の変形型花器を構成する。
この場合、上記花器部Ａと花保持部Ｂとが着脱自在に固着する機構としては、両者が着脱自在に固着するなら特に制限されないが、図２ー（イ）に示されるように、該吊柄１の下端に雄ネジ１６が刻まれた吊柄軸受８と、該吊柄軸受８を着脱自在に固着する花器台９内に設けた雌ネジ１２が刻まれた挿入穴１０とから構成されることが好ましい。
花器部Ａと花保持部Ｂの吊柄１とは軽量化の点からプラスチック製、強度的には硬質プラスチックが望ましく、特に、吊柄１は硬質プラスチックや軽量で強度的に優れたアルミ等の素材も使用できる。
また、上記機構として、図２ー（ロ）に示されるように、該吊柄１の下端に設けた磁石１５と、該吊柄１の磁石１５と着脱自在に固着する花器台内に設けた磁石１５’とから構成されるものでも良い。
使用する磁石としては、花保持部Ｂと花器部Ａとが着脱自在に固着していて、花々を生けて、例えば吊した場合等に離脱しない程度の磁力を有するものの使用が必要である。
（ｉｖ）花々１７を生けない不使用時に花保持部Ｂを畳んで置き、使用時に上記吊柄１の外周にを貫挿させた筒状掛具３を適度に押し下げて留金２又は２’等に係止し、花保持骨子５の開き状態を、段階的に中広、大広等と調整できる。
【産業上の利用可能性】
【００２０】  本発明の変形型花器は、花保持部Ｂが花器部Ａから取外しできるので花々の水換えの際に生け直す必要がなく、また、花々１７を生ける部分の広がりを段階的に調整可能な逆円錐状（放射状）なのであらゆる花量に対応でき、更に花保持部Ｂが放射状の花保持骨子５で支えられているので花の固定器具を必要とせず、且つ軽量、美観であると言う利点を有しており、画期的な発明と言える。
【図面の簡単な説明】
【００２１】
【図１】本発明の変形型花器の模式図である。
【図２】花器台と吊柄軸受との篏合状態を示す部分拡大図であり、（イ）は吊柄の軸受と花器台内の挿入穴との篏合状態を示し、（ロ）は吊柄の先端に設けた磁石と花器台内に設けた磁石との篏合状態を示す。
【図３】本発明の洋風変形型花器の模式図であり、（イ）は花保持部を中開きした状態を示し、（ロ）は花保持部を大開きした状態を示す。
【図４】本発明の和風変形型花器の模式図であり、（イ）は花保持部を中開きした状態を示し、（ロ）は花保持部を大開きした状態を示す。
【図５】本発明の洋風変形型花器に花を挿した状態図であり、（イ）は花保持部を中開きした状態を示し、（ロ）は花保持部を大開きした状態を示す。
【符号の説明】
【００２２】１：吊柄
２、２’：留金
３：筒状掛具
４：支え金
５：花保持骨子
６：水通孔
７：水受
８：吊柄の軸受
９：花器台
１０：挿入穴
１１：吊部
１２：雌ネジ
１３：花保持布部
１４：飾り
１５、１５’：磁石
１６：雄ネジ
１７：花々
Ａ：花器部
Ｂ：花保持部
【図１】
2006087868.tif 000003
【図２】
2006087868.tif 000004
【図３】
2006087868.tif 000005
【図４】
2006087868.tif 000006
【図５】
2006087868.tif 000007